(57)【要約】【課題】電流駆動される負荷が使用環境及びその個体バラツキ等により、その電圧降下に変動もしくは固体差を生じる場合、負荷に所定の駆動電圧を供給しても、負荷の電圧降下変動に起因して必ず、電流駆動回路の両端電圧が上昇する影響を受け、電力損失もしくは、それによる発熱を生じる。【解決手段】負荷を流れる電流を第１の電流経路となる第１の電流駆動回路２１と、分流して第２の電流経路となり、第１の電流駆動回路２１と並列に配置された第２の電流駆動回路２７とに流し、第２の電流駆動回路２７に接続した分流電流設定用抵抗４３で発熱を分散することにより、電流駆動回路での発熱を抑え、負荷に所定の定電流を流す構成とする。【選択図】図１
2014082226.tif 000002
【特許請求の範囲】
【請求項１】
負荷を電流で駆動する定電流駆動装置であって、
一端が第１の電源に接続される前記負荷の他端と接続される第１の端子と、
一端が第２の電源に接続される、前記負荷に流す電流の電流値を設定する電流設定用素子の他端と接続される第２の端子と、
前記負荷または前記電流設定用素子の他端と接続される分流電流設定用素子の他端と接続される第３の端子と、
前記第１の端子と前記第２の端子との間に接続される第１の電流駆動回路と、
前記第３の端子と、前記第１の端子または前記第２の端子との間に接続される第２の電流駆動回路とを備え、
前記負荷に流れる電流を前記第１の電流駆動回路と前記第２の電流駆動回路に分流して流すことを特徴とする定電流駆動装置。
【請求項２】
前記第１の電流駆動回路は、第１のオペアンプと第１のトランジスタからなり、
前記第１のトランジスタは前記第１の端子と前記第２の端子の間に電流が流れるように接続され、前記第１のトランジスタの制御端子は、前記第１のオペアンプの出力と接続され、前記第１のオペアンプの一方の入力には、前記第２の端子が接続され、前記第１のオペアンプの他方の入力には、前記負荷に電流を流す電流値を設定する電流設定用電源が接続される第４の端子を備えていることを特徴とする請求項１記載の定電流駆動装置。
【請求項３】
前記第２の電流駆動回路は、前記第１の端子または前記第２の端子と、前記第３の端子との間に流れる分流の是非を制御するスイッチング素子と、前記スイッチング素子のオン・オフを制御する分流制御回路を備えたことを特徴とする請求項２記載の定電流駆動装置。
【請求項４】
前記スイッチング素子は第２のトランジスタであり、前記第２のトランジスタの制御端子は、前記分流制御回路である第１のコンパレータの出力と接続され、前記第１のコンパレータの一方の入力には、前記第１の端子が接続され、前記第１のコンパレータの他方の入力には、分流電流設定用電源が接続される第５の端子を備えていることを特徴とする請求項３記載の定電流駆動装置。
【請求項５】
前記スイッチング素子は第２のトランジスタであり、前記第２のトランジスタの制御端子は、前記分流制御回路である第１のコンパレータの出力と接続され、前記第１のコンパレータの一方の入力には、前記第２の端子が接続され、前記第１のコンパレータの他方の入力には、前記電流設定用電源の電位より高い電位を有する第３の電源が接続される第５の端子を備えていることを特徴とする請求項３記載の定電流駆動装置。
【請求項６】
前記第１のコンパレータの出力を前記第１のオペアンプに入力し、前記第１のトランジスタのオン・オフを制御可能としたことを特徴とする請求項４または５のいずれかに記載の定電流駆動装置。
【請求項７】
前記スイッチング素子は第２のトランジスタであり、前記第２のトランジスタの制御端子は、前記分流制御回路である第２のオペアンプの出力と接続され、前記第２のオペアンプの一方の入力には、前記第２の端子が接続され、前記第２のオペアンプの他方の入力には、前記電流設定用電源の電位より高い電位を有する第３の電源が接続される第５の端子を備えていることを特徴とする請求項３記載の定電流駆動装置。
【請求項８】
一方の入力が前記第１の端子に接続され、他方の入力が前記第１の端子の電位検知のため比較される電位検知用電源が接続される第６の端子に接続される第２のコンパレータを備え、
前記第２のコンパレータの出力を前記第１のオペアンプおよび前記第２のオペアンプに入力し、前記第１のトランジスタおよび前記第２のトランジスタのオン・オフを制御可能としたことを特徴とする請求項７記載の定電流駆動装置。
【請求項９】
一端が第１の電源に接続され、電流で駆動される負荷と、
一端が第２の電源に接続され、前記負荷に流す電流の電流値を設定する電流設定用素子と、
前記負荷の他端と前記電流設定用素子の他端の間に接続された第１の電流駆動回路と、
前記負荷の他端と前記電流設定用素子の他端の間に、分流電流設定用素子と直列接続され、前記第１の電流駆動回路と並列に接続された第２の電流駆動回路とを備え、
前記負荷に流れる電流を前記第１の電流駆動回路と前記第２の電流駆動回路に分流して流すことを特徴とする負荷駆動装置。
【請求項１０】
負荷は直列接続された複数の発光素子であることを特徴とする請求項９記載の負荷駆動装置。
【請求項１１】
電流設定用素子および分流電流設定用素子は抵抗であることを特徴とする請求項９記載の負荷駆動装置。
【請求項１２】
前記第１の電流駆動回路は、第１のオペアンプと第１のトランジスタからなり、
前記第１のトランジスタは前記負荷の他端と前記電流設定用素子の他端の間に電流が流れるように接続され、前記第１のトランジスタの制御端子は、前記第１のオペアンプの出力と接続され、前記第１のオペアンプの一方の入力には、前記電流設定用素子の他端が接続され、前記第１のオペアンプの他方の入力には、前記負荷に電流を流す電流値を設定する電流設定用電源が接続されていることを特徴とする請求項９記載の負荷駆動装置。
【請求項１３】
前記第２の電流駆動回路は、前記負荷の他端または前記電流設定用素子の他端と、前記分流電流設定用素子の一端との間に流れる分流の是非を制御するスイッチング素子と、前記スイッチング素子のオン・オフを制御する分流制御回路を備えたことを特徴とする請求項１２記載の負荷駆動装置。
【請求項１４】
前記スイッチング素子は第２のトランジスタであり、前記第２のトランジスタの制御端子は、前記分流制御回路である第１のコンパレータの出力と接続され、前記第１のコンパレータの一方の入力には、前記負荷の他端が接続され、前記第１のコンパレータの他方の入力には、分流電流設定用電源が接続されたことを特徴とする請求項１３記載の負荷駆動装置。
【請求項１５】
前記スイッチング素子は第２のトランジスタであり、前記第２のトランジスタの制御端子は、前記分流制御回路である第１のコンパレータの出力と接続され、前記第１のコンパレータの一方の入力には、前記電流設定用素子の他端が接続され、前記第１のコンパレータの他方の入力には、前記電流設定用電源の電位より高い電位を有する第３の電源が接続されたことを特徴とする請求項１３記載の負荷駆動装置。
【請求項１６】
前記第１のコンパレータの出力を前記第１のオペアンプに入力し、前記第１のトランジスタのオン・オフを制御可能としたことを特徴とする請求項１４または１５のいずれかに記載の負荷駆動装置。
【請求項１７】
前記スイッチング素子は第２のトランジスタであり、前記第２のトランジスタの制御端子は、前記分流制御回路である第２のオペアンプの出力と接続され、前記第２のオペアンプの一方の入力には、前記電流設定用素子の他端が接続され、前記第２のオペアンプの他方の入力には、前記電流設定用電源の電位より高い電位を有する第３の電源が接続されたことを特徴とする請求項１３記載の負荷駆動装置。
【請求項１８】
一方の入力が前記負荷の他端に接続され、他方の入力が前記負荷の他端の電位検知のため比較される電位検知用電源が接続された第２のコンパレータを備え、
前記第２のコンパレータの出力を前記第１のオペアンプおよび前記第２のオペアンプに入力し、前記第１のトランジスタおよび前記第２のトランジスタのオン・オフを制御可能としたことを特徴とする請求項１７記載の負荷駆動装置。
【請求項１９】
直列接続された複数の発光素子を含む発光素子群を複数含む発光装置と、
前記発光素子群のそれぞれの一端に接続された複数の定電流駆動装置と、
前記定電流駆動装置のそれぞれの一端に接続された、前記発光素子群それぞれに流す電流の電流値を設定する複数の電流設定用素子とを備え、
前記定電流駆動装置のそれぞれは、前記発光素子群の一端と前記電流設定用素子の一端の間に接続された第１の電流駆動回路と、前記定電流駆動装置は、前記発光素子群の一端と前記電流設定用素子の一端の間に、分流電流設定用素子と直列接続され、前記第１の電流駆動回路と並列に接続された第２の電流駆動回路とからなり、
前記発光素子群のそれぞれに流れる電流を前記定電流駆動装置のそれぞれの前記第１の電流駆動回路と前記第２の電流駆動回路に分流して流すことを特徴とする負荷駆動装置。
【発明の詳細な説明】
【技術分野】
【０００１】
本発明は、負荷を定電流駆動する定電流駆動装置およびそれを用いた負荷駆動装置に関わるものである。特に、その応用例の一つとしては、発光ダイオード(Ｌｉｇｈｔ  Ｅｍｉｔｔｉｎｇ  Ｄｉｏｄｅ:以下、ＬＥＤと記す)等の発光素子駆動装置および発光装置に関するものである。
【０００２】
なお、負荷を定電流駆動する装置としては、発光素子駆動装置および発光装置に限定するものではない。
【背景技術】
【０００３】
従来の負荷駆動装置として、ＬＥＤ等の発光素子を備えた発光素子駆動装置および発光装置について、図８、図９に示す構成が提案されている（例えば、特許文献１参照）。
【０００４】
図８において、発光素子群１０Ａ、１０Ｂ、１０Ｃ（総称１０）はそれぞれ複数の例えばＬＥＤ素子から構成され、発光素子群１０のそれぞれのアノードが共通接続され、アノードからカソードへ順方向に電流が流れるように直列接続されている。この発光素子群１０のそれぞれのアノード側には、電圧変換部５０で生成される電圧ＶＯＵＴが供給される。また、発光素子群１０のそれぞれのカソード側には、電流駆動回路２０Ａ、２０Ｂ、２０Ｃ（総称２０）が接続され、各発光素子群１０を電流駆動している。
【０００５】
また、発光素子群１０Ａ、１０Ｂ、１０Ｃと電流駆動回路２０Ａ、２０Ｂ、２０Ｃとのそれぞれの接続点は、電圧降下検出回路３０Ａ、３０Ｂ、３０Ｃに接続され、各接続点の電位の検出結果は制御信号生成部４０に供給される。発光素子群１０の端子間電圧は、ＬＥＤ素子のＶＦバラツキや駆動電流値や温度特性により変動するため、各接続点の電位は異なる電位となる。従って、制御信号生成部４０は発光素子群１０Ａ、１０Ｂ、１０Ｃのうち順方向電圧による電圧降下が最も大きい、すなわち各接続点のうちで最も低い電位となる電位を特定し、この電位が電流駆動回路２０が所望の動作を果たせる一定以上の電位となるように電圧変換部５０にフィードバックし、電圧変換部５０で生成される電圧ＶＯＵＴを調整する。すなわち、発光素子群１０の端子間電圧が最も大きくなる発光素子群１０を駆動する電流駆動回路２０への印加電圧が駆動可能な必要最小限の電圧となるように電圧ＶＯＵＴを調整することにより、発光駆動装置の電力を必要かつ最適なものとできるようにしている。
【０００６】
図９は、図８における発光素子群１０および電流駆動回路２０の１系列について具体的に示した従来の定電流駆動装置を示す。
【０００７】
発光素子群１０は、Ｎ個（Ｎは２以上の整数）のＬＥＤ素子３が直列接続され、アノード側端Ｐａには駆動電源１が接続され、電圧ＶＯＵＴが供給され、カソード側端Ｐｃには、電流駆動回路２１と電流設定用抵抗２３が直列接続されている。電流設定用抵抗２３の他端は接地端子２に接続されている。電流駆動回路２１は、駆動用ＭＯＳトランジスタ２４とオペアンプ２５とからなり、駆動用ＭＯＳトランジスタ２４のドレインがカソード側端Ｐｃに、ソースが電流設定用抵抗２３の一端であるノードＰｓに接続され、ゲートはオペアンプ２５の出力が接続されている。オペアンプ２５の非反転入力には電流設定用電源３４が接続され、反転入力には駆動用ＭＯＳトランジスタ２４のソースが接続されている。オペアンプ２５は、電流設定用抵抗２３の両端の電圧、つまり、駆動用ＭＯＳトランジスタ２４のソースの電位が電流設定用電源３４の電位と同じになるように駆動用ＭＯＳトランジスタ２４を駆動する。
【先行技術文献】
【特許文献】
【０００８】
【特許文献１】特開２００７−２４２４７７号公報
【発明の概要】
【発明が解決しようとする課題】
【０００９】
従来の発光素子駆動装置では、発光素子駆動装置を含めた発光装置全体としてのより効率的な駆動を可能ならしめるものであり、発光素子群を構成する個々のＬＥＤ順方向電圧ＶＦの総和が、温度条件等の環境変化の影響で変動することや、個体バラツキによる複数系列の発光素子群間で電圧差異が発生することで、それぞれの電流駆動回路へ印加される電圧が大きくなることについては考慮されていない。つまり、最適化された系列以外の電流駆動回路の端子間電圧が大きく、消費電力は大きくなり、その結果、チップの発熱が大きくなるという課題がある。発光素子駆動装置の製品傾向としては、発光素子群および電流駆動回路の系列数が多くなったり、発光素子群を構成するＬＥＤ素子の直列数が多くなったりして、回路規模が大きくなったり、電源電圧が大きくなる方向であり、その課題はより顕著になる。
【００１０】
本発明の定電流駆動装置は、このような課題を解決するためになされたもので、本発明は、駆動負荷の電圧降下の変動による、各電流駆動回路で生じる電力損失およびそれにより発生する各電流駆動回路での発熱を低減することを目的とする。
【課題を解決するための手段】
【００１１】
本発明のある形態に係る負荷を電流で駆動する定電流駆動装置は、一端が第１の電源に接続される前記負荷の他端と接続される第１の端子と、一端が第２の電源に接続される、前記負荷に流す電流の電流値を設定する電流設定用素子の他端と接続される第２の端子と、前記負荷または前記電流設定用素子の他端と接続される分流電流設定用素子の他端と接続される第３の端子と、前記第１の端子と前記第２の端子との間に接続される第１の電流駆動回路と、前記第３の端子と前記第２の端子との間に接続される第２の電流駆動回路とを備え、前記負荷に流れる電流を前記第１の電流駆動回路と前記第２の電流駆動回路に分流して流すように構成されている。
【００１２】
前記第１の電流駆動回路は、第１のオペアンプと第１のトランジスタからなり、前記第１のトランジスタは前記第１の端子と前記第２の端子の端子間に電流が流れるように接続され、前記第１のトランジスタの制御端子は、前記第１のオペアンプの出力と接続され、前記第１のオペアンプの一方の入力には、前記第２の端子が接続され、前記第１のオペアンプの他方の入力には、前記負荷に電流を流す電流値を設定する電流設定用電源が接続される第４の端子を備え、前記第２の電流駆動回路は、前記第１の端子または前記第２の端子と、前記第３の端子との間に流れる分流の是非を制御するスイッチング素子と、前記スイッチング素子のオン・オフを制御する分流制御回路を備えた構成である。
【発明の効果】
【００１３】
本発明によれば、負荷に流れる電流を第２の電流駆動回路に分流し、第２の電流駆動回路と直列接続された分流電流設定用素子で電圧降下を生じ、発熱を吸収することができる。これにより、第１の電流駆動回路への印加電圧の上昇を抑え、それにより発生する発熱を抑制することができる。これにより、同一半導体基板上に構成される定電流駆動装置の搭載数を増やすことや複数の駆動負荷の直列数を増やすことも電源電圧を高くすることも可能となり、多くの電流駆動回路や駆動負荷を搭載でき、システムの簡略化を図ることができる。
【図面の簡単な説明】
【００１４】
【図１】本発明の実施の形態１に係る定電流駆動装置を示す回路図
【図２】本発明の実施の形態２に係る定電流駆動装置を示す回路図
【図３】本発明の実施の形態３に係る定電流駆動装置を示す回路図
【図４】本発明の実施の形態４に係る定電流駆動装置を示す回路図
【図５】本発明の実施の形態５に係る定電流駆動装置を示す回路図
【図６】本発明の実施の形態６に係る定電流駆動装置を示す回路図
【図７】本発明の実施の形態７に係る定電流駆動装置を示す回路図
【図８】従来の定電流駆動回路を含む発光素子駆動装置を示す構成図
【図９】従来の発光素子駆動装置における定電流駆動回路を示す回路図
【発明を実施するための形態】
【００１５】
以下、本発明の実施の形態を、図面を参照しながら説明する。以下では、全ての図を通じて同一又は相当する要素には同一の参照符号を付して、その重複する説明を省略する。
【００１６】
（実施の形態１）
図１は、本発明の実施の形態１に係る負荷を駆動する定電流駆動装置の構成例を示した回路図である。ここでは、発光素子群および電流駆動回路の１系列について具体的に示す。
【００１７】
図１において、駆動負荷として、例えばＮ個（Ｎは２以上の整数）のＬＥＤ素子３が直列接続された発光素子群１０のアノード側端Ｐａは駆動電源１に接続され、電圧ＶＯＵＴが供給され、カソード側端Ｐｃには、発光素子群１０を駆動する定電流駆動装置２６と電流設定用抵抗２３が直列に接続され、電流設定用抵抗２３の一端は接地端子２に接続されている。カソード側端Ｐｃと電流設定用抵抗２３の他端であるノードＰｓの間に接続される定電流駆動装置２６は、発光素子群１０を流れる電流の第１の電流経路となる第１の電流駆動回路２１と、第１の電流駆動回路２１と並列に配置され、分流して第２の電流経路となる第２の電流駆動回路２７とからなる。第２の電流駆動回路２７は接続点Ｐｄで分流電流設定用抵抗４３と直列接続され、カソード側端ＰｃとノードＰｓの間に接続される。
【００１８】
第１の電流駆動回路２１は、駆動用ＭＯＳトランジスタ２４とオペアンプ２５とからなり、駆動用ＭＯＳトランジスタ２４のドレインはカソード側端Ｐｃに、ソースはノードＰｓに接続され、ゲートはオペアンプ２５の出力が接続されている。オペアンプ２５の非反転入力には電流設定用電源３４が接続され、設定電圧Ｖｓが印加され、反転入力には駆動用ＭＯＳトランジスタ２４のソース（ノードＰｓ）が接続されている。第１の電流駆動回路２１は、オペアンプ２５を動作させ、電流設定用抵抗２３の両端の電圧、つまり、ノードＰｓの電位Ｖｐｓが電流設定用電源３４の設定電圧Ｖｓと同じになるように駆動用ＭＯＳトランジスタ２４を駆動する。
【００１９】
第２の電流駆動回路２７は、駆動用ＭＯＳトランジスタ２８とコンパレータ２９とからなり、駆動用ＭＯＳトランジスタ２８のドレインは分流電流設定用抵抗４３を介してカソード側端Ｐｃに、ソースはノードＰｓに接続され、ゲートはコンパレータ２９の出力が接続されている。コンパレータ２９の非反転入力には分流電流制御用電源３５が接続され、設定電圧Ｖｃが印加され、反転入力にはカソード側端Ｐｃが接続されている。カソード側端Ｐｃの電位Ｖｐｃが分流電流制御用電源３５の電位Ｖｃ以下の場合は、駆動用ＭＯＳトランジスタ２８はオン状態であり、第２の電流駆動回路２７に電流が流れ、電位Ｖｐｃが電位Ｖｃより大きい場合は、駆動用ＭＯＳトランジスタ２８はオフ状態であり、第２の電流駆動回路２７に電流が流れない。
【００２０】
第２の電流駆動回路２７を設けて、発光素子群１０を流れる電流を第１の電流駆動回路２１と分流して流すことにより、例えば、分流電流設定用抵抗４３を集積回路の外部に設けて発熱を逃がすことにより、第１の電流駆動回路２１と第２の電流駆動回路２７での電力損失、発熱を抑えることができる効果がある。
【００２１】
なお、第２の電流駆動回路２７は分流電流設定用抵抗４３と直列接続され、カソード側端ＰｃとノードＰｓの間に接続されるが、分流電流設定用抵抗４３をノードＰｓ側に設けても構わない。
【００２２】
さらに、詳細の動作について説明する。
【００２３】
発光素子群１０を流れる電流は第１の電流駆動回路２１と第２の電流駆動回路２７とに分流し、再び合流して電流設定用抵抗２３に流れる。発光素子群１０に流れる電流をＩＬＥＤ、第１の電流駆動回路２１に流れる電流をＩｃｔｒｌ、第２の電流駆動回路２７に流れる電流をＩｂｐ、電流設定用抵抗２３に流れる電流をＩｒｓとすると、次式が成立する。
【００２４】
Ｉｒｓ＝Ｉｃｔｒｌ＋Ｉｂｐ＝ＩＬＥＤ  ・・・  （１）
また、第１の電流駆動回路２１の駆動用ＭＯＳトランジスタ２４が動作している条件下において、オペアンプ２５が、ノードＰｓの電位Ｖｐｓを設定電圧Ｖｓに保ちつつ、電流設定用抵抗２３（抵抗値をＲｓとする）に流れる電流値をＩｒｓ＝Ｖｓ／Ｒｓにて定電流となるように駆動用ＭＯＳトランジスタ２４をフィードバック制御する。つまり、この時、所定の駆動電流として設定される定電流ＩＬＥＤは、次式で表される。
【００２５】
ＩＬＥＤ＝Ｉｒｓ＝Ｉｃｔｒｌ＋Ｉｂｐ＝Ｖｓ／Ｒｓ  ・・・  （２）
実施の形態１においては、電流ＩＬＥＤを所定の定電流とするのは、駆動用ＭＯＳトランジスタ２４、オペアンプ２５によるフィードバック制御によるものであるため、駆動用ＭＯＳトランジスタ２４には電流が流れている状態であることが必要動作条件となる。すなわち、
Ｉｃｔｒｌ＞０          ・・・  （３）
Ｉｂｐ＜Ｖｓ／Ｒｓ      ・・・  （４）
となる。
【００２６】
さらに、駆動用ＭＯＳトランジスタ２４が正常に動作するためには、駆動用ＭＯＳトランジスタ２４の両端電圧Ｖｘ（電圧値もＶｘとする）は、Ｖｘ＝Ｖｐｃ−Ｖｐｓの必要最低電圧が存在し、これをＶｍｉｎとする。最低電圧Ｖｍｉｎは、駆動用ＭＯＳトランジスタ２４のオン抵抗（抵抗値をＲｏｎ１とする）と、所定の電流ＩＬＥＤにより決まる値で、
Ｖｍｉｎ＝Ｒｏｎ１×ＩＬＥＤ  ・・・  （５）
が必要となる。
【００２７】
第２の電流駆動回路２７において、駆動用ＭＯＳトランジスタ２８のオン抵抗の抵抗値をＲｏｎｂとし、分流電流設定用抵抗４３の抵抗値をＲｄとすると、第２の電流駆動回路２７に流れる電流Ｉｂｐは、
Ｉｂｐ＝（Ｖｐｃ−Ｖｐｓ）／（Ｒｏｎｂ＋Ｒｄ）  ・・・  （６）
となる。
【００２８】
電流Ｉｂｐが式（４）を満足しない状態は、ＬＥＤ素子３のショートなどにより、想定以上に発光素子群１０の順方向電圧ＶＦの総和、すなわち、両端電圧ＶＬＥＤが低くなり、その結果、カソード側端Ｐｃの電位Ｖｐｃの上昇により、第２の電流駆動回路２７に流れる電流Ｉｂｐが所定値より増大（Ｉｂｐ＞Ｖｓ／Ｒｓ）した異常状態であることを示している。
【００２９】
コンパレータ２９の入力である電位Ｖｃは、そのような異常状態での必要以上の分流動作を停止するために設けられている。すなわち、カソード側端Ｐｃの電位Ｖｐｃの上昇による必要以上の異常電流が第２の電流駆動回路２７および発光素子群１０に生じることを防止する働きをする。
【００３０】
そのような異常状態においては、第１の電流駆動回路２１への電流駆動を停止する制御を設けてもよい。その実施形態について、次に説明する。
【００３１】
（実施の形態２）
図２は本発明の実施の形態２に係る負荷を駆動する定電流駆動装置２６Ａの構成例を示した回路図であり、実施の形態１に係る定電流駆動装置２６に、異常状態で第１の電流駆動回路２１の電流駆動を停止する構成を追加したものである。基本的な構成は、実施の形態１と同じであるので、差異の構成についてのみ説明する。
【００３２】
図２において、第２の電流駆動回路２７Ａ内におけるコンパレータ２９Ａの出力を第１の電流駆動回路２１に、具体的にはオペアンプ２５の入力に供給する構成を有する。これにより、異常状態では、コンパレータ２９Ａの出力が駆動用ＭＯＳトランジスタ２８をオフ状態にし、第２の電流駆動回路２７Ａに電流が流れないようにするのに加えて、オペアンプ２５の出力を通して、駆動用ＭＯＳトランジスタ２４をオフ状態にし、第１の電流駆動回路２１に電流が流れないようにする。つまり、実施の形態１において、第２の電流駆動回路２７の駆動を停止することにより、電流設定用抵抗２３へ流れる電流が一時的に減少し、ノードＰｓの電位Ｖｐｓが下がり、再び駆動用ＭＯＳトランジスタ２４に流れ出すのを防ぐ働きをする。
【００３３】
異常状態の発生条件は、式（４）、（６）より、
Ｉｂｐ＝（Ｖｐｃ−Ｖｐｓ）／（Ｒｏｎｂ＋Ｒｄ）＜Ｖｓ／Ｒｓ  ・・・  （７）
となる。従って、駆動用ＭＯＳトランジスタ２８のオン抵抗の抵抗値Ｒｏｎｂおよび分流電流設定用抵抗４３の抵抗値Ｒｄのパラメータ設定はこの条件を満足するように行う必要がある。
【００３４】
実施の形態１，２について、発熱の低減効果をパラメータの一例を用いて説明する。ここで例示するパラメータは本実施の形態の一例であり、本発明の構成を限定するものではない。
（パラメータ）
・発光素子群１０に流れる電流：ＩＬＥＤ＝０．１Ａ
・電流設定用抵抗２３の抵抗値：Ｒｓ＝５Ω
・オペアンプ２５の設定電圧：Ｖｓ＝ＩＬＥＤ×Ｒｓ＝０．１Ａ×５Ω＝０．５Ｖ
・駆動用ＭＯＳトランジスタ２４のオン抵抗：Ｒｏｎ１＝５Ω
・駆動用ＭＯＳトランジスタ２４の両端に印加すべき必要最低電圧：
Ｖｍｉｎ＝ＩＬＥＤ×Ｒｏｎ１＝０．１Ａ×５Ω＝０．５Ｖ
・発光素子群１０のＬＥＤ直列接続数：１０個（Ｎ＝１０）、
・各ＬＥＤ素子３における個体バラツキ、並びに温度等の使用環境による順方向電圧ＶＦ値のバラツキ範囲：
３．０Ｖ±０．２Ｖ（ＶＦ０±ΔＶＦと表記）
・発光素子群１０の順方向電圧ＶＦの総和であるＶＬＥＤの変動値は、
ＶＬＥＤ（最大値）＝３．２Ｖ×１０＝３２Ｖ
ＶＬＥＤ（最小値）＝２．８Ｖ×１０＝２８Ｖ
であり、その変動値は、ΔＶＬＥＤ＝３２Ｖ−２８Ｖ＝４Ｖ
・また、発光素子群１０のアノード側端Ｐａに印加される駆動電圧Ｖｏｕｔは、変動を加味した最適な固定値であり、ＶＬＥＤがＶＦ変動による最大値となる場合の設定が必要となる。
Ｖｏｕｔ＝ＶＬＥＤ（最大値）＋Ｖｍｉｎ＋Ｖｓ＝３２Ｖ＋０．５Ｖ＋０．５Ｖ＝３３Ｖ
・分流電流設定用抵抗４３の抵抗値：Ｒｄ＝４５Ω
・駆動用ＭＯＳトランジスタ２８のオン抵抗：Ｒｏｎｂ＝５Ω
なお、本実施の形態においては、第１の電流駆動回路２１、第２の電流駆動回路２７が同一半導体基板上に形成されており、駆動素子、即ち、それぞれ並列に配置された駆動用ＭＯＳトランジスタ２４、駆動用ＭＯＳトランジスタ２８が、電力損失並びに発熱課題に関わる素子であり、本実施の形態での電力損失の最大値をＷ’ｍａｘとして、これを算出する。
【００３５】
また、電力損失が最大値Ｗ’ｍａｘとなるのは、（Ｖｐｃ−Ｖｐｓ）が最大時であり、これをＶｘｍａｘと表記すると、次式（８）より求まる。
【００３６】
Ｖｘｍａｘ＝（ＶＬＥＤ[最大値]＋Ｖｍｉｎ＋Ｖｓ）−Ｖｓ−ＶＬＥＤ[最小値]）
＝（ＶＬＥＤ[最大値]−ＶＬＥＤ[最小値]）＋Ｖｍｉｎ
＝ΔＶＬＥＤ＋Ｖｍｉｎ
＝（Ｎ×ΔＶＦ×２）＋Ｖｍｉｎ＝４Ｖ＋０．５Ｖ＝４．５Ｖ    ・・・  式（８）
さらにこの時の電力損失の最大値Ｗ’ｍａｘ、すなわち、駆動用ＭＯＳトランジスタ２４および駆動用ＭＯＳトランジスタ２８での電力損失は、従来の電力損失の最大値から発熱分散抵抗である分流電流設定用抵抗４３で生じる電力損失（Ｗｄと記す）分を差し引いたものであり、下記の式より求まる。
【００３７】
Ｉｂｐ＝（Ｖｐｃ−Ｖｐｓ）／(Ｒｏｎｂ＋Ｒｄ)
＝Ｖｘｍａｘ／（Ｒｏｎｂ＋Ｒｄ）
＝４．５Ｖ／（４５Ω＋５Ω）＝０．０９Ａ
Ｗｄ＝Ｉｂｐ＾２×Ｒｄ
＝０．０９Ａ＾２×４５Ω＝０．３６４５Ｗ
従来の電力損失の最大値は、
Ｗ＝ＩＬＥＤ×Ｖｘｍａｘ
＝０．１Ａ×４．５Ｖ＝０．４５Ｗであるから
Ｗ’ｍａｘ＝０．４５Ｗ−０．３６４５Ｗ＝０．０８５５Ｗ
となり、定電流駆動装置２６での電力損失は、従来の約２０％にまで低減できることになる。
【００３８】
ここで、定電流駆動装置２６がＩＣに実装される環境として、例えば紙フェノールのプリント基板を想定すると、その熱抵抗は約６０℃／Ｗである。
【００３９】
従って、駆動用ＭＯＳトランジスタの発熱量は、温度上昇としては、従来が
ΔＴ＝０．４５Ｗ×６０℃／Ｗ＝＋２７℃であったのに対し、本願では
ΔＴ＝０．０８５５Ｗ×６０℃／Ｗ＝＋５．１３℃となり、大幅に抑えることができる。
【００４０】
ここで、一般的に許容される温度上昇値を想定すると、制約は半導体のジャンクション温度が１２５℃を超えないとするのが一般的である。今、使用の周囲環境を７０℃と想定すると、許容温度上昇値は、１２５℃−７０℃＝５５℃となる。
【００４１】
この場合、搭載可能な定電流駆動装置の系列数Ｍ（Ｍ：整数）は、
Ｍ＝５５℃／５．１３℃≦１０（従来構成の場合は、Ｍ≦２）
までとなり、搭載可能な系列数を従来に比べて大幅に増やすことができる。
【００４２】
また、系列数Ｍ＝１の時の許容可能なＬＥＤ素子の直列数Ｎ１は、
Ｎ１＝１０×５５℃／５．１３℃≦１０７（従来構成の場合は、Ｎ１≦２０）
までとなり、搭載可能なＬＥＤ素子の直列数を大幅に増やすことができる。
【００４３】
すなわち、本発明の実施の形態によれば、駆動負荷の電圧降下の変動（一例として、ＬＥＤ素子３の順方向電圧ＶＦバラツキ等に起因して発生する発光素子群を構成する個々のＬＥＤ素子３の順方向電圧ＶＦの総和の変動）による、定電流駆動装置で生じる電力損失および、それにより発生する定電流駆動装置での発熱を大幅に低減できる。その結果として、（１）同一半導体基板上に構成される定電流駆動装置の搭載数の発熱による制約を緩和し、より多くの系列数の定電流駆動装置を同一ＩＣに搭載でき、システムの簡略化を図ることができる、（２）発熱制約となる課題の原因となった複数の駆動負荷間での電圧降下差異および使用環境もしくは個体バラツキに起因する電圧降下変動の許容量が緩和されることとなり、ＬＥＤ素子の直列数をより多く実現でき、システムの簡略化を図ることができる。
【００４４】
なお、ここで説明した数字は、本発明を具体的に説明するために例示したものであり、本発明は例示された数字に限定されない。
【００４５】
（実施の形態３）
図３は、本発明の実施の形態３に係る負荷を駆動する定電流駆動装置の構成例を示した回路図である。実施の形態１からの変更点としては、定電流駆動装置２６を定電流駆動装置２６Ｂとし、第２の電流駆動回路２７Ｂを動作させる分流制御手段を異なるものにしている。実施の形態１と同一の構成のものは、その符号を同じとし、説明を省略し、差異の構成についてのみ説明する。
【００４６】
第１の電流駆動回路２１の構成、動作は実施の形態１と同一のため、説明を省略する。
【００４７】
第２の電流駆動回路２７Ｂは、駆動用ＭＯＳトランジスタ２８とコンパレータ２９Ｂとからなり、駆動用ＭＯＳトランジスタ２８のドレインは分流電流設定用抵抗４３を介してカソード側端Ｐｃに、ソースはノードＰｓに接続され、ゲートはコンパレータ２９Ｂの出力が接続されている。コンパレータ２９Ｂの非反転入力には分流電流制御用電源３７が接続され、電流設定用電源３４の設定電圧Ｖｓに対し、設定電圧Ｖαだけ高い電位が印加され、反転入力には駆動用ＭＯＳトランジスタ２４のソース（ノードＰｓ）が接続されている。
【００４８】
通常動作においては、オペアンプ２５とコンパレータ２９Ｂの反転入力が共にノードＰｓに接続されており、オペアンプ２５は実施の形態１同様にノードＶｐｓが電流設定用電源３４の設定電圧Ｖｓに等しくなる様に制御されつつ、駆動用ＭＯＳトランジスタ２４をオン状態にしており、コンパレータ２９Ｂの非反転入力には、設定電圧Ｖｓより高い電位（Ｖｓ＋Ｖα）が印加されているため、駆動用ＭＯＳトランジスタ２８もコンパレータ２９Ｂにより、オン状態にされている。つまり、発光素子群１０を流れる電流は第１の電流駆動回路２１と第２の電流駆動回路２７Ｂとに分流して流れている。集積回路の外部に設けた分流電流設定用抵抗４３に分流することにより、外部に発熱を逃がすことができ、第１の電流駆動回路２１と第２の電流駆動回路２７Ｂでの電力損失、発熱を抑えることが可能となる。
【００４９】
ここで、実施の形態１でも記載の通り、ＬＥＤ素子３のショートなど、想定以上に順方向電圧ＶＦの総和ＶＬＥＤが低くなると、カソード側端Ｐｃの電位の上昇により、第２の電流経路である第２の電流駆動回路２７Ｂへの電流が増加し、第１の電流駆動回路２１の駆動用ＭＯＳトランジスタ２４に流れる電流Ｉｃｔｒｌ＝０となる。この状態では、電流設定用抵抗２３に流れる電流が所定値：Ｉｒｓ＝Ｖｓ／Ｒｓを超えるため、ノードＰｓの電位Ｖｐｓは上昇し、Ｖｐｓ＞Ｖｓとなり、Ｖｐｓ＞Ｖｓ＋Ｖαとなった時点で、コンパレータ２９Ｂにより、駆動用ＭＯＳトランジスタ２８がオフし、第２の電流駆動回路２７Ｂには電流が流れないようになる。すなわち、カソード側端Ｐｃの電位の上昇による必要以上の異常電流が第２の電流経路および駆動負荷に生じることを防止できる。
【００５０】
この実施の形態３では、電源Ｖαは比較的微小な電圧であるため、ＩＣ内部で生成することが可能となり、実施の形態１で必要とした分流電流制御用電源３５を不要とするので、実施の形態１に比べて、より簡易な構成で、同一の効果を得ることができる。
【００５１】
なお、本構成での発熱低減効果は、実施の形態１と同様であるので説明は省略する。
【００５２】
上記のような異常状態において、第１の電流駆動回路２１への電流駆動を停止する制御を設けてもよい。その実施形態について、次に説明する。
【００５３】
（実施の形態４）
図４は本発明の実施の形態４に係る負荷を駆動する定電流駆動装置２６Ｃの構成例を示した回路図であり、実施の形態３に係る定電流駆動装置２６Ｂに、異常状態で第１の電流駆動回路２１の電流駆動を停止する構成を追加したものである。基本的な構成は、実施の形態３と同じであるので、差異の構成についてのみ説明する。
【００５４】
図４において、第２の電流駆動回路２７Ｃ内のコンパレータ２９Ｃの出力を第１の電流駆動回路２１に、具体的にはオペアンプ２５の入力に供給する構成を有する。これにより、異常状態では、コンパレータ２９Ｃの出力が駆動用ＭＯＳトランジスタ２８をオフ状態にし、第２の電流駆動回路２７Ｃに電流が流れないようにするのに加えて、オペアンプ２５の出力を通して、駆動用ＭＯＳトランジスタ２４をオフ状態にし、第１の電流駆動回路２１に電流が流れないようにする。
【００５５】
実施の形態４と実施の形態３の相違は、実施の形態２と実施の形態１の相違と同様のため、動作の説明は省略する。
【００５６】
（実施の形態５）
図５は、本発明の実施の形態５に係る負荷を駆動する定電流駆動装置の構成例を示した回路図である。実施の形態３からの変更点としては、定電流駆動装置２６Ｂを定電流駆動装置２６Ｄとし、第２の電流駆動回路２７Ｄを動作させる分流制御手段を異なるものにしている。実施の形態３と同一の構成のものは、その符号を同じとし、説明を省略し、差異の構成についてのみ説明する。
【００５７】
第１の電流駆動回路２１の構成、動作は実施の形態３と同一のため、説明を省略する。
【００５８】
第２の電流駆動回路２７Ｄは、駆動用ＭＯＳトランジスタ２８とオペアンプ３６とからなり、駆動用ＭＯＳトランジスタ２８のドレインは分流電流設定用抵抗４３を介してカソード側端Ｐｃに、ソースはノードＰｓに接続され、ゲートはオペアンプ３６の出力が接続されている。オペアンプ３６の非反転入力には分流電流制御用電源３７が接続され、電流設定用電源３４の設定電圧Ｖｓに対し、設定電圧Ｖαだけ高い電位が印加され、反転入力には駆動用ＭＯＳトランジスタ２４のソース（ノードＰｓ）が接続されている。
【００５９】
通常動作においては、オペアンプ２５とオペアンプ３６の反転入力が共にノードＰｓに接続されており、オペアンプ２５は実施の形態３同様にノードＶｐｓが電流設定用電源３４の設定電圧Ｖｓに等しくなる様に制御されつつ、駆動用ＭＯＳトランジスタ２４をオン状態にしており、オペアンプ３６の非反転入力には、設定電圧Ｖｓより高い電位（Ｖｓ＋Ｖα）が印加されているため、駆動用ＭＯＳトランジスタ２８もオペアンプ３６により、オン状態にされている。つまり、発光素子群１０を流れる電流は第１の電流駆動回路２１と第２の電流駆動回路２７Ｄとに分流して流れている。集積回路の外部に設けた分流電流設定用抵抗４３に分流することにより、外部に発熱を逃がすことができ、第１の電流駆動回路２１と第２の電流駆動回路２７Ｄでの電力損失、発熱を抑えることが可能となる。
【００６０】
ここで、実施の形態１でも記載の通り、ＬＥＤ素子３のショートなど、想定以上に順方向電圧ＶＦの総和ＶＬＥＤが低くなると、カソード側端Ｐｃの電位の上昇により、第２の電流経路である第２の電流駆動回路２７Ｄへの電流が増加し、第１の電流駆動回路２１の駆動用ＭＯＳトランジスタ２４に流れる電流Ｉｃｔｒｌ＝０となる。この状態では、電流設定用抵抗２３に流れる電流が所定値：Ｉｒｓ＝Ｖｓ／Ｒｓを超えるため、ノードＰｓの電位Ｖｐｓは上昇し、Ｖｐｓ＞Ｖｓとなるが、オペアンプ３６の非反転入力に与えられる電位により、Ｖｐｓは、Ｖｓ＋Ｖαより上昇しない。すなわち、
ＩＬＥＤ＝（Ｖｓ＋Ｖα）／Ｒｓ
となる当初の所定の電流値Ｖｓ／Ｒｓよりわずかに大きな一定の電流値で駆動を継続する構成となる。これにより、カソード側端Ｐｃの電位の上昇による必要以上の異常電流を第２の電流経路および駆動負荷に生じることを防止できる。
【００６１】
なお、本構成での発熱低減効果は、実施の形態１と同様であるので説明は省略する。
【００６２】
別途カソード側端Ｐｃの電位Ｖｐｃを検知し、カソード側端Ｐｃの電位上昇の程度が大きい場合には、本構成に加えて、第１の電流駆動回路２１および第２の電流駆動回路２７Ｄの双方を停止する制御を設けてもよい。その実施形態について、次に説明する。
【００６３】
（実施の形態６）
図６は本発明の実施の形態６に係る負荷を駆動する定電流駆動装置２６Ｅの構成例を示した回路図であり、実施の形態５に係る定電流駆動装置２６Ｄに、異常状態で第１の電流駆動回路２１および第２の電流駆動回路２７Ｄの電流駆動を停止する構成を追加したものである。基本的な構成は、実施の形態５と同じであるので、差異の構成についてのみ説明する。
【００６４】
実施の形態５に係る定電流駆動装置２６Ｄに対し、カソード側端Ｐｃの電位Ｖｐｃを検知するために、反転入力にカソード側端Ｐｃが接続され、電位Ｖｐｃが加えられ、非反転入力に所定の電源３９が接続され、電位Ｖｃｅが印加されたコンパレータ３８が追加されている。コンパレータ３８の出力は、オペアンプ２５とオペアンプ３６の両方に入力され、カソード側端Ｐｃの電位Ｖｐｃが異常状態で、所定の電源３９の電位Ｖｃｅより高くなった場合にオペアンプ２５とオペアンプ３６の出力を介して、駆動用ＭＯＳトランジスタ２４および駆動用ＭＯＳトランジスタ２８をオフ状態にし、負荷の電流駆動を停止する。
【００６５】
なお、本構成での発熱低減効果は、実施の形態１と同様であるので説明は省略する。
【００６６】
（実施の形態７）
本発明における実施の形態１〜６においては、１系統の発光素子群を駆動する構成を用いて説明を行ってきた。
【００６７】
従来技術でも述べた通り、２系統以上の複数系列の発光素子群を駆動する場合には、ＬＥＤ素子の順方向電圧ＶＦバラツキ等の影響が、各々の系列間での個体差によりより大きな影響となるため、本願発明における実施形態は２系統以上の複数系列の発光素子群を駆動する場合にはさらに有効となる。
【００６８】
図７は、本発明の実施の形態を用いて４系統からなる発光素子群を駆動する場合の構成図を示したものである。ここでは、実施の形態１を用いて説明するが、実施の形態２〜６についても同様であり、説明を省略する。
【００６９】
図７において、駆動負荷として、例えばＮ個（Ｎは２以上の整数）のＬＥＤ素子３が直列接続された発光素子群１１〜１４のアノード側端Ｐａ１〜Ｐａ４は駆動電源１に共通接続され、電圧ＶＯＵＴが供給され、カソード側端Ｐｃ１〜Ｐｃ４には、発光素子群１１〜１４をそれぞれ駆動する定電流駆動装置２６１〜２６４と電流設定用抵抗２３１〜２３４が直列に接続され、電流設定用抵抗２３１〜２３４の一端は接地端子２に接続されている。カソード側端Ｐｃ１〜Ｐｃ４と電流設定用抵抗２３１〜２３４の他端であるノードＰｓ１〜Ｐｓ４の間に接続される定電流駆動装置２６１〜２６４は、発光素子群１１〜１４を流れる電流の第１の電流経路となる第１の電流駆動回路２１と、第１の電流駆動回路２１と並列に配置され、分流して第２の電流経路となる第２の電流駆動回路２７とからなる。各第２の電流駆動回路２７はそれぞれ分流電流設定用抵抗４３１〜４３４と直列接続され、カソード側端Ｐｃ１〜Ｐｃ４とノードＰｓ１〜Ｐｓ４の間に接続される。
【００７０】
各第１の電流駆動回路２１のオペアンプの非反転入力には電流設定用電源３４が接続され、設定電圧Ｖｓが印加されており、各第２の電流駆動回路２７のコンパレータの非反転入力には分流電流制御用電源３５が接続され、設定電圧Ｖｃが印加されている。なお、ここでは、電流設定用電源３４および分流電流制御用電源３５は定電流駆動装置２６１〜２６４に共通接続しているが個々の電源を接続しても構わない。
【００７１】
動作については、実施の形態１と同様であるので省略するが、第２の電流駆動回路２７へ分流して電流が流れることにより、分流電流設定用抵抗４３１〜４３４で電力損失を分散させることにより、定電流駆動装置２６１〜２６４での電力損失並びにそれに起因する発熱を抑制することができ、各実施の形態の通りの以下の効果が得られる。
【００７２】
（１）同一半導体基板上に構成される電流駆動装置の搭載数の発熱による制約を緩和し、より多くの電流駆動装置を同一ＩＣに搭載でき、システムの簡略化を図ることができる。
【００７３】
（２）発熱制約となる課題の原因となった複数の駆動負荷間での電圧降下差異および使用環境もしくは個体バラツキに起因する電圧降下変動の許容量が緩和されることとなり、ＬＥＤ素子の直列数をより多く実現でき、システムの簡略化を図ることができる。
【００７４】
（３）複数の駆動負荷間での電圧降下差異および使用環境もしくは個体バラツキに起因する電圧変動の許容量が緩和されるため、個々のＬＥＤ素子のＶＦバラツキを緩和できるため、ＬＥＤの選別を不要とし、システムのコスト抑制にも寄与できる。
【産業上の利用可能性】
【００７５】
本発明は、発光素子駆動装置、発光装置およびそれらを用いた表示パネル駆動装置に利用できる。
【符号の説明】
【００７６】
１０〜１４  発光素子群
２１  第１の電流駆動回路
２３  電流設定用抵抗
２４、２８  駆動用ＭＯＳトランジスタ
２５、３６  オペアンプ
２６、２６Ａ〜２６Ｅ  定電流駆動装置
２７、２７Ａ〜２７Ｅ  第２の電流駆動回路
２９、２９Ａ〜２９Ｅ、３８  コンパレータ
３４  電流設定用電源
３５  分流電流制御用電源
４３  分流電流設定用抵抗
【図１】
2014082226.tif 000003
【図２】
2014082226.tif 000004
【図３】
2014082226.tif 000005
【図４】
2014082226.tif 000006
【図５】
2014082226.tif 000007
【図６】
2014082226.tif 000008
【図７】
2014082226.tif 000009
【図８】
2014082226.tif 000010
【図９】
2014082226.tif 000011
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
負荷を電流で駆動する定電流駆動装置であって、
一端が第１の電源に接続される前記負荷の他端と接続される第１の端子と、
一端が第２の電源に接続される、前記負荷に流す電流の電流値を設定する電流設定用素子の他端と接続される第２の端子と、
一端が前記負荷または前記電流設定用素子の他端と接続される分流電流設定用素子の他端と接続される第３の端子と、
前記第１の端子と前記第２の端子との間に接続される第１の電流駆動回路と、
前記分流設定用素子の一端が前記負荷の他端に接続されている場合は、前記第３の端子と前記第２の端子との間に接続され、前記分流設定用素子の一端が前記電流設定用素子の他端に接続されている場合は、前記第３の端子と前記第１の端子との間に接続される第２の電流駆動回路とを備え、
前記負荷に流れる電流を前記第１の電流駆動回路と前記第２の電流駆動回路に分流して流すことを特徴とする定電流駆動装置。
【請求項２】
前記第１の電流駆動回路は、第１のオペアンプと第１のトランジスタからなり、
前記第１のトランジスタは前記第１の端子と前記第２の端子の間に電流が流れるように接続され、前記第１のトランジスタの制御端子は、前記第１のオペアンプの出力と接続され、前記第１のオペアンプの一方の入力には、前記第２の端子が接続され、前記第１のオペアンプの他方の入力には、前記負荷に電流を流す電流値を設定する電流設定用電源が接続される第４の端子を備えていることを特徴とする請求項１記載の定電流駆動装置。
【請求項３】
前記第２の電流駆動回路は、前記第１の端子または前記第２の端子と、前記第３の端子との間に流れる分流の是非を制御するスイッチング素子と、前記スイッチング素子のオン・オフを制御する分流制御回路を備えたことを特徴とする請求項２記載の定電流駆動装置。
【請求項４】
前記スイッチング素子は第２のトランジスタであり、前記第２のトランジスタの制御端子は、前記分流制御回路である第１のコンパレータの出力と接続され、前記第１のコンパレータの一方の入力には、前記第１の端子が接続され、前記第１のコンパレータの他方の入力には、分流電流設定用電源が接続される第５の端子を備えていることを特徴とする請求項３記載の定電流駆動装置。
【請求項５】
前記スイッチング素子は第２のトランジスタであり、前記第２のトランジスタの制御端子は、前記分流制御回路である第１のコンパレータの出力と接続され、前記第１のコンパレータの一方の入力には、前記第２の端子が接続され、前記第１のコンパレータの他方の入力には、前記電流設定用電源の電位より高い電位を有する第３の電源が接続される第５の端子を備えていることを特徴とする請求項３記載の定電流駆動装置。
【請求項６】
前記第１のコンパレータの出力を前記第１のオペアンプに入力し、前記第１のトランジスタのオン・オフを制御可能としたことを特徴とする請求項４または５のいずれかに記載の定電流駆動装置。
【請求項７】
前記スイッチング素子は第２のトランジスタであり、前記第２のトランジスタの制御端子は、前記分流制御回路である第２のオペアンプの出力と接続され、前記第２のオペアンプの一方の入力には、前記第２の端子が接続され、前記第２のオペアンプの他方の入力には、前記電流設定用電源の電位より高い電位を有する第３の電源が接続される第５の端子を備えていることを特徴とする請求項３記載の定電流駆動装置。
【請求項８】
一方の入力が前記第１の端子に接続され、他方の入力が前記第１の端子の電位検知のため比較される電位検知用電源が接続される第６の端子に接続される第２のコンパレータを備え、
前記第２のコンパレータの出力を前記第１のオペアンプおよび前記第２のオペアンプに入力し、前記第１のトランジスタおよび前記第２のトランジスタのオン・オフを制御可能としたことを特徴とする請求項７記載の定電流駆動装置。
【請求項９】
一端が第１の電源に接続され、電流で駆動される負荷と、
一端が第２の電源に接続され、前記負荷に流す電流の電流値を設定する電流設定用素子と、
前記負荷の他端と前記電流設定用素子の他端の間に接続された第１の電流駆動回路と、
前記負荷の他端と前記電流設定用素子の他端の間に、分流電流設定用素子と直列接続され、前記第１の電流駆動回路と並列に接続された第２の電流駆動回路とを備え、
前記負荷に流れる電流を前記第１の電流駆動回路と前記第２の電流駆動回路に分流して流すことを特徴とする負荷駆動装置。
【請求項１０】
負荷は直列接続された複数の発光素子であることを特徴とする請求項９記載の負荷駆動装置。
【請求項１１】
電流設定用素子および分流電流設定用素子は抵抗であることを特徴とする請求項９記載の負荷駆動装置。
【請求項１２】
前記第１の電流駆動回路は、第１のオペアンプと第１のトランジスタからなり、
前記第１のトランジスタは前記負荷の他端と前記電流設定用素子の他端の間に電流が流れるように接続され、前記第１のトランジスタの制御端子は、前記第１のオペアンプの出力と接続され、前記第１のオペアンプの一方の入力には、前記電流設定用素子の他端が接続され、前記第１のオペアンプの他方の入力には、前記負荷に電流を流す電流値を設定する電流設定用電源が接続されていることを特徴とする請求項９記載の負荷駆動装置。
【請求項１３】
前記第２の電流駆動回路は、前記負荷の他端または前記電流設定用素子の他端と、前記分流電流設定用素子の一端との間に流れる分流の是非を制御するスイッチング素子と、前記スイッチング素子のオン・オフを制御する分流制御回路を備えたことを特徴とする請求項１２記載の負荷駆動装置。
【請求項１４】
前記スイッチング素子は第２のトランジスタであり、前記第２のトランジスタの制御端子は、前記分流制御回路である第１のコンパレータの出力と接続され、前記第１のコンパレータの一方の入力には、前記負荷の他端が接続され、前記第１のコンパレータの他方の入力には、分流電流設定用電源が接続されたことを特徴とする請求項１３記載の負荷駆動装置。
【請求項１５】
前記スイッチング素子は第２のトランジスタであり、前記第２のトランジスタの制御端子は、前記分流制御回路である第１のコンパレータの出力と接続され、前記第１のコンパレータの一方の入力には、前記電流設定用素子の他端が接続され、前記第１のコンパレータの他方の入力には、前記電流設定用電源の電位より高い電位を有する第３の電源が接続されたことを特徴とする請求項１３記載の負荷駆動装置。
【請求項１６】
前記第１のコンパレータの出力を前記第１のオペアンプに入力し、前記第１のトランジスタのオン・オフを制御可能としたことを特徴とする請求項１４または１５のいずれかに記載の負荷駆動装置。
【請求項１７】
前記スイッチング素子は第２のトランジスタであり、前記第２のトランジスタの制御端子は、前記分流制御回路である第２のオペアンプの出力と接続され、前記第２のオペアンプの一方の入力には、前記電流設定用素子の他端が接続され、前記第２のオペアンプの他方の入力には、前記電流設定用電源の電位より高い電位を有する第３の電源が接続されたことを特徴とする請求項１３記載の負荷駆動装置。
【請求項１８】
一方の入力が前記負荷の他端に接続され、他方の入力が前記負荷の他端の電位検知のため比較される電位検知用電源が接続された第２のコンパレータを備え、
前記第２のコンパレータの出力を前記第１のオペアンプおよび前記第２のオペアンプに入力し、前記第１のトランジスタおよび前記第２のトランジスタのオン・オフを制御可能としたことを特徴とする請求項１７記載の負荷駆動装置。
【請求項１９】
直列接続された複数の発光素子を含む発光素子群を複数含む発光装置と、
前記発光素子群のそれぞれの一端に接続された複数の定電流駆動装置と、
前記定電流駆動装置のそれぞれの一端に接続された、前記発光素子群それぞれに流す電流の電流値を設定する複数の電流設定用素子とを備え、
前記定電流駆動装置のそれぞれは、前記発光素子群の一端と前記電流設定用素子の一端の間に接続された第１の電流駆動回路と、前記定電流駆動装置は、前記発光素子群の一端と前記電流設定用素子の一端の間に、分流電流設定用素子と直列接続され、前記第１の電流駆動回路と並列に接続された第２の電流駆動回路とからなり、
前記発光素子群のそれぞれに流れる電流を前記定電流駆動装置のそれぞれの前記第１の電流駆動回路と前記第２の電流駆動回路に分流して流すことを特徴とする負荷駆動装置。
【手続補正２】
【補正対象書類名】明細書
【補正対象項目名】００１１
【補正方法】変更
【補正の内容】
【００１１】
本発明のある形態に係る負荷を電流で駆動する定電流駆動装置は、一端が第１の電源に接続される前記負荷の他端と接続される第１の端子と、一端が第２の電源に接続される、前記負荷に流す電流の電流値を設定する電流設定用素子の他端と接続される第２の端子と、一端が前記負荷または前記電流設定用素子の他端と接続される分流電流設定用素子の他端と接続される第３の端子と、前記第１の端子と前記第２の端子との間に接続される第１の電流駆動回路と、前記分流設定用素子の一端が前記負荷の他端に接続されている場合は、前記第３の端子と前記第２の端子との間に接続され、前記分流設定用素子の一端が前記電流設定用素子の他端に接続されている場合は、前記第３の端子と前記第１の端子との間に接続される第２の電流駆動回路とを備え、前記負荷に流れる電流を前記第１の電流駆動回路と前記第２の電流駆動回路に分流して流すように構成されている。